(57)【要約】【課題】現像ローラ上のトナー粒子の凝集を解除する解除ローラへのトナー粒子の固着を抑制することで解除ローラの機能を維持する。【解決手段】画像形成装置は、現像ローラ２０５と、現像ローラ２０５上の現像液ＤＬを掻き取るクリーニングブレード２０７と、現像液ＤＬに含まれるトナー粒子Ｔを現像ローラ２０５の表面に凝集させるコロナ放電器２０６と、現像ローラ２０５上のトナー粒子Ｔの凝集を解除する解除ローラ２０８と、解除ローラ２０８に電圧を印加するとともに、コロナ放電器２０６に印加する電圧を制御する制御装置８０とを備えている。制御装置８０は、コロナ放電器２０６への電圧の印加を停止し、現像ローラ２０５および解除ローラ２０８に電圧を印加することで、現像液ＤＬに含まれるトナー粒子Ｔが解除ローラ２０８から現像ローラ２０５に向かう電位差を形成する解除ローラクリーニングモードを実行可能に構成されている。【選択図】図４
2010256791.tif 000002
【特許請求の範囲】
【請求項１】
キャリア液に現像剤粒子を混合させてなる現像液により画像形成を行う画像形成装置であって、
現像液を担持しながら回転する現像ローラと、
前記現像ローラと摺接して、前記現像ローラ上の現像液を掻き取るクリーニング部材と、
電荷を飛ばすことで前記現像ローラに担持された現像液に含まれる現像剤粒子を前記現像ローラの表面に凝集させる凝集手段と、
前記現像ローラの回転方向における前記クリーニング部材より上流側かつ前記凝集手段と対面する位置より下流側に配置され、前記現像ローラと同一方向に回転しながら前記現像ローラに摺接して、前記現像ローラ上の現像剤粒子の凝集を解除する解除ローラと、
前記現像ローラおよび前記解除ローラの少なくとも一方に電圧を印加するとともに、前記凝集手段に印加する電圧を制御する制御装置とを備え、
前記制御装置は、
前記凝集手段に画像形成のときより絶対値が小さい電圧を印加し、または、前記凝集手段への電圧の印加を停止し、
前記現像ローラおよび前記解除ローラの少なくとも一方に電圧を印加することで、現像液に含まれる現像剤粒子が前記解除ローラから前記現像ローラに向かう電位差を形成する解除ローラクリーニングモードを実行可能に構成されていることを特徴とする画像形成装置。
【請求項２】
前記解除ローラクリーニングモードは、画像形成が終了した後に実行されることを特徴とする請求項１に記載の画像形成装置。
【請求項３】
前記解除ローラクリーニングモードは、画像形成の準備動作のときに実行されることを特徴とする請求項１に記載の画像形成装置。
【請求項４】
前記現像ローラの回転方向における前記解除ローラより上流側かつ前記凝集手段と対面する位置より下流側に対向して配置され、前記現像ローラから供給された現像剤粒子により現像剤像が形成される感光体ドラムを備え、
前記現像ローラおよび前記感光体ドラムの少なくとも一方は、他方に対して近接・離間可能に構成され、少なくとも前記解除ローラクリーニングモードのときに離間することを特徴とする請求項１から請求項３のいずれか１項に記載の画像形成装置。
【請求項５】
前記現像ローラの回転方向における前記解除ローラより上流側かつ前記凝集手段と対面する位置より下流側に対向して配置され、前記現像ローラから供給された現像剤粒子により現像剤像が形成される感光体ドラムと、
前記感光体ドラム上の現像剤像を記録シートに転写する転写部材とを備え、
前記感光体ドラムおよび前記転写部材の少なくとも一方は、他方に対して近接・離間可能に構成され、少なくとも前記解除ローラクリーニングモードのときに離間することを特徴とする請求項１から請求項３のいずれか１項に記載の画像形成装置。
【発明の詳細な説明】
【技術分野】
【０００１】
本発明は、キャリア液にトナー粒子（現像剤粒子）を混合させてなる現像液により画像形成を行う画像形成装置に関する。
【背景技術】
【０００２】
一般に、キャリア液にトナー粒子を混合させてなる現像液を現像ローラに担持させ、この現像ローラから感光体に形成された静電潜像に現像液中のトナー粒子を供給することで感光体上にトナー像を形成する画像形成装置が知られている。このような画像形成装置では、現像ローラから感光体に現像液（トナー粒子）の一部を供給した後、現像ローラ上に残った現像液をクリーニングブレードなどで回収している。
【０００３】
ところで、現像液を使用する画像形成装置では、感光体にトナー粒子を供給する前に、現像ローラに担持された現像液に電荷を飛ばして、現像液に含まれるトナー粒子を現像ローラの表面に凝集させている。そのため、現像ローラ上に残った現像液をクリーニングブレードなどで回収するときに、凝集したトナー粒子がクリーニングブレードの先端や表面で固まったり、現像液の回収経路に詰まったりするおそれがあった。
【０００４】
そこで、例えば、特許文献１では、現像ローラの回転方向におけるクリーニングブレードの上流側に配置され、現像ローラの表面の移動方向と逆方向となるように回転しながら現像ローラに摺接する解除ローラを設けている。これにより、トナー粒子は、現像ローラと解除ローラとの間のニップ部を通過するときに機械的な剪断力を受けて凝集が解除され、キャリア液中に再び分散されるのでクリーニングブレードで良好に回収される。
【先行技術文献】
【特許文献】
【０００５】
【特許文献１】特開２００６−３０７１９号公報（図１６）
【発明の概要】
【発明が解決しようとする課題】
【０００６】
しかしながら、長期間の使用によって解除ローラの表面に付着したトナー粒子が固着すると、解除ローラが本来の機能を発揮できなくなるおそれがある。
そこで、本発明は、解除ローラへのトナー粒子の固着を抑制することで解除ローラの機能を維持することができる画像形成装置を提供することを目的とする。
【課題を解決するための手段】
【０００７】
前記した目的を達成するため、本発明の画像形成装置は、キャリア液に現像剤粒子を混合させてなる現像液により画像形成を行う画像形成装置であって、現像液を担持しながら回転する現像ローラと、前記現像ローラと摺接して、前記現像ローラ上の現像液を掻き取るクリーニング部材と、電荷を飛ばすことで前記現像ローラに担持された現像液に含まれる現像剤粒子を前記現像ローラの表面に凝集させる凝集手段と、前記現像ローラの回転方向における前記クリーニング部材より上流側かつ前記凝集手段と対面する位置より下流側に配置され、前記現像ローラと同一方向に回転しながら前記現像ローラに摺接して、前記現像ローラ上の現像剤粒子の凝集を解除する解除ローラと、前記現像ローラおよび前記解除ローラの少なくとも一方に電圧を印加するとともに、前記凝集手段に印加する電圧を制御する制御装置とを備え、前記制御装置は、前記凝集手段に画像形成のときより絶対値が小さい電圧を印加し、または、前記凝集手段への電圧の印加を停止し、前記現像ローラおよび前記解除ローラの少なくとも一方に電圧を印加することで、現像液に含まれる現像剤粒子が前記解除ローラから前記現像ローラに向かう電位差を形成する解除ローラクリーニングモードを実行可能に構成されていることを特徴とする。
【０００８】
このように構成された画像形成装置によれば、解除ローラクリーニングモードのときに、現像ローラおよび解除ローラの少なくとも一方に電圧を印加することで、現像液に含まれるトナー粒子（現像剤粒子）が解除ローラから現像ローラに向かう電位差を形成するので、解除ローラに付着したトナー粒子を現像ローラに引き寄せることができる。これにより、解除ローラに付着したトナー粒子を解除ローラから除去することができるので、解除ローラへのトナー粒子の固着を抑制することができる。
【０００９】
なお、解除ローラクリーニングモードのときには、凝集手段に印加される電圧が画像形成のときより絶対値が小さい（または停止される）ので、現像ローラの表面へのトナー粒子の凝集を抑えることができる。これにより、解除ローラクリーニングモード中にトナー粒子がクリーニング部材で固まることを抑制することができる。
【発明の効果】
【００１０】
本発明の画像形成装置によれば、解除ローラクリーニングモードを実行することで解除ローラへのトナー粒子の固着を抑制することができるので、解除ローラの機能を維持することができる。
【図面の簡単な説明】
【００１１】
【図１】実施形態に係る画像形成装置の一例としてのカラープリンタの断面図である。
【図２】プロセスユニットの断面図であり、現像ローラが感光体ドラムに近接した状態を示す図（ａ）と、現像ローラが感光体ドラムから離間した状態を示す図（ｂ）である。
【図３】画像形成モードのときの動作を説明する拡大図である。
【図４】解除ローラクリーニングモードのときの動作を説明する拡大図（ａ），（ｂ）である。
【図５】変形例に係るカラープリンタの断面図であり、感光体ドラムが中間転写ベルトに近接した状態を示す図（ａ）と、感光体ドラムが中間転写ベルトから離間した状態を示す図（ｂ）である。
【発明を実施するための形態】
【００１２】
＜カラープリンタの全体構成＞
次に、本発明の実施形態について、適宜図面を参照しながら詳細に説明する。なお、以下の説明において、方向は、カラープリンタを使用するユーザを基準にした方向で説明する。すなわち、図１における右側を「前」、左側を「後」とし、手前側を「左」、奥側を「右」とする。また、図１における上下方向を「上下」とする。
【００１３】
図１に示すように、画像形成装置の一例としてのカラープリンタ１は、本体筐体１０内に、給紙ユニット３０と、４つのＬＥＤユニット４０と、４つのプロセスユニット５０と、転写ユニット６０と、定着ユニット７０と、制御装置８０とを主に備えている。
【００１４】
給紙ユニット３０は、本体筐体１０内の下部に設けられ、記録シートの一例としての用紙Ｓを収容する給紙トレイ３１と、給紙トレイ３１から用紙Ｓを転写位置（中間転写ベルト６３と２次転写ローラ６５とのニップ位置）に搬送する給紙機構３２とを主に備えている。給紙トレイ３１内の用紙Ｓは、給紙機構３２によって１枚ずつ分離されて転写位置に搬送される。
【００１５】
ＬＥＤユニット４０は、感光体ドラム１０１の下方に対向して配置され、先端に図示しない複数の発光部（ＬＥＤ）が感光体ドラム１０１の軸方向（左右方向）に配列されている。このＬＥＤユニット４０は、画像データに基づいて発光部を明滅させることで、帯電器１０２により一様に帯電された感光体ドラム１０１の表面を露光し、感光体ドラム１０１上に画像データに基づく静電潜像を形成する。
【００１６】
プロセスユニット５０は、給紙ユニット３０の上方で前後に並んで配置され、感光体ドラム１０１と、帯電器１０２と、現像液ＤＬを貯溜する貯溜部２０１と、供給ローラ２０２と、中間ローラ２０３と、現像ローラ２０５とを主に備えている。
【００１７】
貯溜部２０１内の現像液ＤＬは、供給ローラ２０２および中間ローラ２０３を介して現像ローラ２０５に供給され、現像ローラ２０５の表面に担持される。現像ローラ２０５の表面に担持された現像液ＤＬ（トナー粒子Ｔ）は、現像ローラ２０５から感光体ドラム１０１上に形成された静電潜像に供給される。これにより、静電潜像が可視像化されて感光体ドラム１０１上にトナー像が形成される。
【００１８】
なお、本実施形態の現像液ＤＬは、正帯電性のトナー粒子Ｔ（現像剤粒子）を不揮発性のキャリア液Ｃに混合したものである（図３参照）。また、各プロセスユニット５０は、貯溜部２０１に貯溜される現像液ＤＬ中のトナー粒子Ｔの色が相違するのみであり、構成は略同一である。プロセスユニット５０の詳細な構成については後述する。
【００１９】
転写ユニット６０は、プロセスユニット５０の上方に設けられ、駆動ローラ６１と、従動ローラ６２と、駆動ローラ６１および従動ローラ６２の間に張設された無端状の中間転写ベルト６３（転写部材）と、中間転写ベルト６３を介して感光体ドラム１０１と対向配置された４つの１次転写ローラ６４と、中間転写ベルト６３を介して駆動ローラ６１と対向配置された２次転写ローラ６５とを主に備えている。
【００２０】
各感光体ドラム１０１上に形成された各色のトナー像は、中間転写ベルト６３上に順次重ね合わせて転写される。そして、給紙ユニット３０から搬送された用紙Ｓが、中間転写ベルト６３と２次転写ローラ６５との間の転写位置を通過することで、中間転写ベルト６３上のトナー像が用紙Ｓに転写される。
【００２１】
定着ユニット７０は、転写ユニット６０の後側上方に設けられ、加熱ローラ７１と、加熱ローラ７１と対向配置されて加熱ローラ７１を押圧する加圧ローラ７２とを主に備えている。トナー像が転写された用紙Ｓは、加熱ローラ７１と加圧ローラ７２との間を通過することでトナー像が熱定着され、排出ローラ７３によって排紙トレイ１２上に排出される。
【００２２】
＜プロセスユニットの詳細構成＞
次に、プロセスユニット５０の詳細な構成ついて説明する。
図２（ａ）に示すように、プロセスユニット５０は、感光体ユニット１００と、現像ユニット２００とから構成されている。
【００２３】
感光体ユニット１００は、感光体フレーム１１０内に、感光体ドラム１０１と、帯電器１０２と、クリーニングブレード１０３とを主に備えている。
感光体フレーム１１０は、感光体ドラム１０１や帯電器１０２などを支持するフレームであり、本体筐体１０内に固定されている。
【００２４】
感光体ドラム１０１は、現像ローラ２０５の回転方向における解除ローラ２０８より上流側かつコロナ放電器２０６（凝集手段）と対面する位置より下流側に対向して配置され、導電性を有する円筒状のドラム本体の表面（外周面）に感光層が形成されて構成されている。
【００２５】
この感光体ドラム１０１の回転方向における中間転写ベルト６３と接触する位置より下流側には、クリーニングブレード１０３が摺接している。中間転写ベルト６３に供給されずに残った現像液ＤＬは、クリーニングブレード１０３によって掻き取られて回収され、図示しない廃現像液タンクに貯溜される。
【００２６】
帯電器１０２は、感光体ドラム１０１と接触しないように所定間隔を隔てて対向して配置され、感光体ドラム１０１に電荷を飛ばすことによって感光体ドラム１０１の表面を一様に帯電させるように構成されている。
【００２７】
現像ユニット２００は、現像フレーム２１０内に、貯溜部２０１と、供給ローラ２０２と、中間ローラ２０３と、液量規制ブレード２０４と、現像ローラ２０５と、凝集手段の一例としてのコロナ放電器２０６と、クリーニング部材の一例としてのクリーニングブレード２０７と、解除ローラ２０８とを主に備えている。
【００２８】
貯溜部２０１は、現像液ＤＬの濃度（キャリア液Ｃに対するトナー粒子Ｔの重量比率）を調整する図示しない公知の濃度調整部から供給された現像液ＤＬを貯溜している。
【００２９】
供給ローラ２０２は、回転することで、貯溜部２０１に貯留された現像液ＤＬを表面に担持して中間ローラ２０３に供給する金属製のローラである。
【００３０】
中間ローラ２０３（アニロックスローラとも呼ばれる。）は、表面に形成された溝に所定量の現像液ＤＬを担持可能に構成された金属製のローラである。この中間ローラ２０３を介して現像ローラ２０５に現像液ＤＬを供給することで、現像ローラ２０５への現像液ＤＬの供給量を均一に保つことができる。この中間ローラ２０３の回転方向における供給ローラ２０２と接触する位置より下流側には、中間ローラ２０３の表面に付着した現像液ＤＬを擦り切る液量規制ブレード２０４が摺接している。
【００３１】
現像ローラ２０５は、中間ローラ２０３から供給された現像液ＤＬを表面に担持しながら回転し、現像液ＤＬ（トナー粒子Ｔ）を感光体ドラム１０１に供給するローラである。
【００３２】
コロナ放電器２０６は、現像ローラ２０５と接触しないように所定間隔を隔てて対向して配置され、現像ローラ２０５の軸方向（左右方向）に沿って張設された放電ワイヤ（符号省略）を主に備えている。このコロナ放電器２０６は、制御装置８０から放電ワイヤに電圧が印加されることでコロナ放電を発生させ、現像ローラ２０５に担持された現像液に電荷を飛ばして現像液に含まれるトナー粒子Ｔを現像ローラ２０５の表面に押し付けるように凝集させる（図３参照）。
【００３３】
クリーニングブレード２０７は、現像ローラ２０５と解除ローラ２０８とが接触する位置より現像ローラ２０５の回転方向下流側で摺接するように配置されている。このクリーニングブレード２０７は、回転する現像ローラ２０５に摺接して現像ローラ２０５上の現像液ＤＬを掻き取って回収する。回収された現像液ＤＬは、図示しない濃度調整部に戻されて再利用される。
【００３４】
解除ローラ２０８は、現像ローラ２０５の回転方向におけるクリーニングブレード２０７より上流側かつコロナ放電器２０６と対面する位置（詳細には、感光体ドラム１０１と接触する位置）より下流側に配置された金属製のローラである。この解除ローラ２０８は、後述する画像形成モードのときに、現像ローラ２０５と同一方向に回転しながら現像ローラ２０５に摺接して、現像ローラ２０５上のトナー粒子Ｔの凝集を解除する。
【００３５】
詳細には、図３に示すように、感光体ドラム１０１に供給されずに現像ローラ２０５上に残ったトナー粒子Ｔ（現像液ＤＬ）は、解除ローラ２０８と衝突する。このとき、現像ローラ２０５と解除ローラ２０８との互いの対向面が逆方向に移動して強く擦れ合うことで、現像ローラ２０５の表面に凝集しているトナー粒子Ｔが解除ローラ２０８によって掻き取られる。
【００３６】
これにより、凝集しているトナー粒子Ｔの一部は、凝集が解除されてキャリア液Ｃ中に再び分散される。また、凝集しているトナー粒子Ｔの残りの一部は、解除ローラ２０８の表面に付着する。解除ローラ２０８の表面に付着したトナー粒子Ｔは、現像ローラ２０５によって掻き取られたり、現像ローラ２０５と解除ローラ２０８との間をすり抜けたトナー粒子Ｔとぶつかったりすることで凝集が解除され、キャリア液Ｃ中に再び分散される。
【００３７】
このように現像ローラ２０５上のトナー粒子Ｔの凝集が解除されることで、トナー粒子Ｔがクリーニングブレード２０７の先端などで固まることが抑制されるので、現像液ＤＬをクリーニングブレード２０７で良好に回収することができる。
【００３８】
図２（ａ），（ｂ）に示すように、現像フレーム２１０は、貯溜部２０１を形成し、現像ローラ２０５などを支持するフレームであり、回動軸２１１を介して本体筐体１０内に固定された感光体フレーム１１０（感光体ユニット１００）に揺動可能となっている。現像フレーム２１０が感光体フレーム１１０に対して揺動することで、現像ローラ２０５は感光体ドラム１０１に対して近接・離間可能となっている。
【００３９】
また、現像フレーム２１０には、貯溜部２０１の前壁の外面から前方に向けて突出し、本体筐体１０内に設けられた押圧部材１５によって押圧される被押圧部２１３が形成されている。
【００４０】
ここで、押圧部材１５は、プロセスユニット５０（現像ユニット２００）の被押圧部２１３の下方に配置され、制御装置８０からの指示によって、図２（ａ）に示す押圧位置と図２（ｂ）に示す解除位置との間で上下にスライド移動するように構成されている。
【００４１】
押圧部材１５が押圧位置にある場合には、被押圧部２１３が下方から押圧されるので、現像ユニット２００が回動軸２１１を中心に反時計回りに揺動して、現像ローラ２０５が感光体ドラム１０１に近接する。また、押圧部材１５が解除位置に移動した場合には、被押圧部２１３への押圧が解除されるので、現像ユニット２００が図示しないバネの付勢力によって回動軸２１１を中心に時計回りに揺動して、現像ローラ２０５が感光体ドラム１０１から離間する。
【００４２】
＜制御装置の構成と動作＞
制御装置８０は、本体筐体１０内の適宜な位置に配置され、図示しないＣＰＵ、ＲＡＭ、ＲＯＭ、入出力回路などを備えて構成されており、カラープリンタ１の動作を制御する。
【００４３】
本実施形態において、制御装置８０は、ＲＯＭに記憶されたプログラムやデータ、本体筐体１０内に設けられた図示しない各種のセンサからの出力などに基づいて、現像ローラ２０５、コロナ放電器２０６および解除ローラ２０８に印加する電圧を制御する。また、制御装置８０は、用紙Ｓに画像（トナー像）を形成する画像形成モードと、解除ローラ２０８の表面に付着したトナー粒子Ｔを除去して解除ローラ２０８のクリーニングを行う解除ローラクリーニングモードとを実行可能に構成されている。
【００４４】
画像形成モードは、給紙ユニット３０から用紙Ｓが供給され、トナー像が熱定着された用紙Ｓが排紙トレイ１２上に排出されるまでの動作モードである。具体的に、本実施形態における画像形成モードは、図示しない給紙検知センサにより給紙トレイ３１内の用紙Ｓが送り出されたことが検知されてから、図示しない排紙検知センサにより用紙Ｓが排出ローラ７３から完全に排出されたことが検知されるまでの間である。
【００４５】
図３に示すように、画像形成モードのときには、制御装置８０は、コロナ放電器２０６（放電ワイヤ）に電圧を印加し、トナー粒子Ｔを現像ローラ２０５の表面に凝集させて、現像ローラ２０５の表面にトナー粒子Ｔの濃度（重量比率）が高い層を形成する。さらに、制御装置８０は、現像ローラ２０５に現像バイアス（例えば６００Ｖ）を印加する。これらにより、トナー粒子Ｔが感光体ドラム１０１上の静電潜像に良好に供給される。
【００４６】
また、画像形成モードのときには、解除ローラ２０８は、現像ローラ２０５と同一方向に回転しながら現像ローラ２０５に摺接して、現像ローラ２０５上のトナー粒子Ｔの凝集を解除する。なお、画像形成モードのときには、解除ローラ２０８には電圧は印加されない。
【００４７】
解除ローラクリーニングモードは、画像形成モードが終了した後、すなわち、図示しない排紙検知センサによって、用紙Ｓが排出ローラ７３から完全に排出されたことが検知された後に所定時間実行される。
【００４８】
図２（ｂ）に示すように、解除ローラクリーニングモードのときには、制御装置８０は、現像ローラ２０５に画像形成モードのときと同じ電圧（現像バイアス）を印加し続けるとともに、押圧部材１５を解除位置に移動して被押圧部２１３への押圧を解除する。被押圧部２１３への押圧が解除されることで、現像ユニット２００が回動軸２１１を中心として時計回りに揺動するので、現像ローラ２０５が感光体ドラム１０１から離間する。
【００４９】
これにより、解除ローラクリーニングモードの実行中における現像ローラ２０５から感光体ドラム１０１への現像液ＤＬの供給が停止するので、現像液ＤＬの不要な消費を抑えることができる。さらに、感光体ドラム１０１から中間転写ベルト６３への現像液ＤＬの供給も停止するので、中間転写ベルト６３に供給された現像液ＤＬによって２次転写ローラ６５などが汚れることを防ぐことができる。
【００５０】
その後、制御装置８０は、図４（ａ）に示すように、コロナ放電器２０６への電圧の印加を停止して、解除ローラ２０８に現像バイアスより大きい電圧（例えば８００Ｖ）を印加する。
【００５１】
より詳細には、制御装置８０は、画像形成モード終了後、まず、コロナ放電器２０６への電圧の印加を停止する。これにより、現像ローラ２０５の表面のうち、コロナ放電器２０６と対面する部分（Ａ１）より現像ローラ２０５の回転方向における下流側において、トナー粒子Ｔの凝集が発生しない状態となる。その結果、解除ローラクリーニングモードの実行中において、トナー粒子Ｔがクリーニングブレードの先端などで固まることを抑制することができる。
【００５２】
次いで、制御装置８０は、回転する現像ローラ２０５の表面のうち、コロナ放電器２０６への電圧の印加を停止したときにコロナ放電器２０６と対面していた部分（Ａ１）が解除ローラ２０８と接触する位置（Ａ２）まで移動するのに要する時間以上の時間が経過した後に解除ローラ２０８に電圧を印加する。
【００５３】
これにより、コロナ放電器２０６への電圧の印加を停止した時点において、コロナ放電器２０６と対面する部分（Ａ１）から解除ローラ２０８と接触する位置（Ａ２）までの間にある、すでに凝集したトナー粒子Ｔを解除ローラ２０８によって分散させることができる。その結果、解除ローラクリーニングモードの開始直後において、すでに凝集していたトナー粒子Ｔがクリーニングブレードの先端などで固まることを抑制することができる。
【００５４】
そして、解除ローラ２０８に電圧を印加することで、解除ローラ２０８と現像バイアスが印加された現像ローラ２０５との間に、現像液ＤＬに含まれるトナー粒子Ｔが解除ローラ２０８から現像ローラ２０５に向かう電位差を形成することができる。その結果、図４（ｂ）に示すように、解除ローラ２０８の表面に付着したトナー粒子Ｔが、解除ローラ２０８の表面から現像ローラ２０５の表面に引き寄せられ、解除ローラ２０８の表面から除去される（図４（ｂ）では、解除ローラ２０８と現像ローラ２０５との間の隙間を誇張して示している）。
【００５５】
以上説明したように、カラープリンタ１によれば、解除ローラクリーニングモードを実行することで、解除ローラ２０８に付着したトナー粒子Ｔを解除ローラ２０８の表面から除去することができる。これにより、解除ローラ２０８へのトナー粒子Ｔの固着を抑制することができるので、解除ローラ２０８の機能を維持することができる。
【００５６】
また、本実施形態においては、解除ローラクリーニングモードは、画像形成モードが終了した後に実行されるので、画像形成モード中（印字中）に、現像ローラ２０５の表面に付着したトナー粒子Ｔを速やかに除去することができる。
【００５７】
以上、本発明の実施形態について説明したが、本発明は前記実施形態に限定されるものではない。具体的な構成については、本発明の趣旨を逸脱しない範囲で適宜変更が可能である。
【００５８】
前記実施形態では、解除ローラクリーニングモードのときに、現像ローラ２０５および解除ローラ２０８の両方に電圧を印加する構成を例示したが、本発明はこれに限定されるものではない。例えば、解除ローラクリーニングモードのときには、現像ローラには電圧を印加せず、解除ローラのみに電圧を印加してトナー粒子が解除ローラから現像ローラに向かう電位差を形成してもよい。また、解除ローラクリーニングモードのときに、現像ローラにトナー粒子の帯電極性とは逆極性の電圧を印加して、解除ローラに付着したトナー粒子を現像ローラ側に引き寄せるようにしてもよい。
【００５９】
前記実施形態では、解除ローラクリーニングモードは、画像形成モード（給紙トレイ３１内の用紙Ｓが送り出されてから用紙Ｓが排出ローラ７３から完全に排出されるまで）が終了した後に実行される構成を例示したが、本発明はこれに限定されるものではない。例えば、解除ローラクリーニングモードが、画像形成の準備動作のときに実行される構成としてもよい。
【００６０】
ここで、画像形成の準備動作とは、例えば、カラープリンタ１の電源が入れられた直後に実行される動作や、カラープリンタ１に印字データが入力されてから給紙トレイ３１内の用紙Ｓが送り出されるまでの間に実行される動作などである。具体的には、加熱ローラ７１の温度を定着温度まで上昇させるウォーミングアップ動作などである。
【００６１】
このような画像形成の準備動作は、電源を入れた後や印字データ待ち状態の後など、しばらく放置された後に実行されることが多い。したがって、解除ローラクリーニングモードが、画像形成の準備動作のときに実行されることで、解除ローラ２０８の表面に付着して固着しつつあったトナー粒子Ｔを確実に除去することができる。
【００６２】
前記実施形態では、解除ローラクリーニングモードのときに、コロナ放電器２０６（凝集手段）への電圧の印加を停止する構成を例示したが、本発明はこれに限定されるものではない。例えば、解除ローラクリーニングモードのときに、凝集手段に画像形成のときより絶対値が小さい電圧を印加する構成としてもよい。ここで、画像形成のときより絶対値が小さい電圧とは、現像ローラの表面でトナー粒子の凝集が発生しない程度に絶対値が小さい電圧のことを意味する。
【００６３】
前記実施形態では、現像ローラ２０５が感光体ドラム１０１に対して近接・離間可能に構成された例を示したが、本発明はこれに限定されるものではない。例えば、感光体ドラムが現像ローラに対して近接・離間可能に構成されていてもよいし、現像ローラおよび感光体ドラムが互いに他方に対して近接・離間可能に構成されていてもよい。これによっても、現像液ＤＬの不要な消費や２次転写ローラ６５などの汚れを防ぐことができる。
【００６４】
なお、２次転写ローラ６５などの汚れを防ぐという効果を得る場合には、感光体ドラム１０１および中間転写ベルト６３（転写部材）の少なくとも一方を、他方に対して近接・離間可能に構成し、解除ローラクリーニングモードのときに離間するようにしてもよい。
【００６５】
例えば、図５（ａ）に示すように、カラープリンタ２は、本体筐体１０内に、４つのプロセスユニット５０を支持する支持フレーム１７を備えている。この支持フレーム１７は、図示しない公知の昇降機構によって本体筐体１０内を上下に移動可能となっており、上にあるときには、感光体ドラム１０１が中間転写ベルト６３に近接し、図５（ｂ）に示すように、下に移動したときには、各感光体ドラム１０１が中間転写ベルト６３から離間する。
【００６６】
前記実施形態では、現像ローラと感光体ドラム（または、感光体ドラムと転写部材）が解除ローラクリーニングモードのときに離間する例を示したが、離間のタイミングはこれに限定されるものではない。例えば、前記実施形態のカラープリンタ１において、モノクロ印字を行う場合に、画像形成に使用されないプロセスユニット５０の現像ローラ２０５を感光体ドラム１０１から離間させてもよい。また、画像形成を行わない場合、具体的には、中間転写ベルト６３をクリーニングする場合などに、各感光体ドラム１０１を中間転写ベルト６３から離間させてもよい。
【００６７】
前記実施形態では、クリーニング部材としてクリーニングブレード２０７を例示したが、本発明はこれに限定されず、例えば、クリーニングローラなどであってもよい。
【００６８】
前記実施形態では、凝集手段として、現像ローラ２０５と接触しないように所定間隔を隔てて対向して配置されたコロナ放電器２０６を例示したが、本発明はこれに限定されるものではない。例えば、現像ローラに接触した状態で回転し、電圧が印加されることで現像ローラに担持された現像液に電荷を飛ばすローラなどであってもよい。
【００６９】
前記実施形態では、転写部材として中間転写ベルト６３を例示したが、本発明はこれに限定されず、例えば、ローラ状の中間転写体などであってもよい。また、転写部材は、中間転写体に限定されず、例えば、感光体ドラムとの間で記録シートを直接挟持する転写ローラなどであってもよい。
【００７０】
前記実施形態におけるカラープリンタ１の各ユニットの構成は一例であり、適宜変更が可能である。例えば、図５（ａ）に示すように、前記実施形態のＬＥＤユニット４０の代わりに、レーザ光で感光体ドラム１０１を露光するレーザユニット４１を採用してもよい。また、フィルム状の加熱部材を備える定着ユニットを採用してもよい。
【００７１】
前記実施形態では、画像形成装置としてカラープリンタ１を例示したが、本発明はこれに限定されず、例えば、モノクロプリンタであってもよい。また、画像形成装置は、プリンタに限定されず、例えば、複写機や複合機などであってもよい。
前記実施形態では、記録シートの一例として、いわゆる普通紙やはがきなどの用紙Ｓを示したが、本発明はこれに限定されず、例えば、ＯＨＰシートなどであってもよい。
【符号の説明】
【００７２】
１      カラープリンタ
１５    押圧部材
６３    中間転写ベルト
８０    制御装置
１０１  感光体ドラム
１１０  感光体フレーム
２０５  現像ローラ
２０６  コロナ放電器
２０７  クリーニングブレード
２０８  解除ローラ
２１０  現像フレーム
２１１  回動軸
２１３  被押圧部
Ｃ      キャリア液
ＤＬ    現像液
Ｓ      用紙
Ｔ      トナー粒子
【図１】
2010256791.tif 000003
【図２】
2010256791.tif 000004
【図３】
2010256791.tif 000005
【図４】
2010256791.tif 000006
【図５】
2010256791.tif 000007